(57)【要約】耳用装身具システムは、耳用装身具（１）と、耳垂に耳用装身具（１）を最適に適合させるための関連付けられたゲージ（２）とを含む。耳用装身具（１）は、Ｕ字形くぼみ（５）を有し、その内側幅（７）は、取り付けられる耳垂（１６）に下から押し込められるように意図されている。その場合、くぼみ（５）は、引き下げられ引き伸ばされた状態の耳垂（１６）の厚さを正確に持つ。測定された厚さにくぼみを直接適応させる代わりに、対応する厚さを有するインサートをくぼみに入れることができる。適切な内側幅（７）は、多数の個別ゲージ（３）からのシステムに適したゲージ（２）によって決定される。個別ゲージ（３）は、段階的な内側幅（１２）を有する開口（８）と、それぞれの内側幅（７）に対応する厚さ（１３）を有する舌状部（９）とを有する。そのような個別ゲージ（３）による引き伸ばされた状態の取り付けられる耳垂（１６）の測定の支援により、様々な内側幅（７）を有するＵ字形くぼみを有する一連の耳用装身具から耳用装身具の適合性が把握される。
2006506135.tif 000002
【特許請求の範囲】
【請求項１】
耳垂に耳用装身具（１）を最適に適合させるための個別ゲージ群（３）を含む連携ゲージ（２）を備えた耳用装身具システムであって、耳用装身具は、耳垂（１６）に下から押し込まれるように意図され、内側幅（７）またはそこに挿入されるインサート（２５）の内側幅を有するＵ字形くぼみ（５）を有し、耳用装身具の取り付け時に前記耳垂が引き伸ばされ、その結果その引き伸ばされた耳垂（１６）の厚さとなり、その耳垂に取り付けるための適切な内側幅（７）が、段階的な内側幅（１２）を有するそれぞれの開口（８）とそれぞれの内側幅（７）と同じ厚さ（１３）を有する舌状部（９）とを備えた複数の個別ゲージ群（３）を含むシステムの適切なゲージ（２）によって決定され、様々な内側幅を有するＵ字形くぼみ（５）を備える一連の耳用装身具または一連のインサートからなる、個別ゲージ群（３）による引き伸ばされた状態の耳垂（１６）の測定支援によって、関連する耳用装身具（１）またはそこに入れられるインサート（２５）のＵ字形くぼみ（５）の適切な内側幅（７）を把握することができる耳用装身具システム。
【請求項２】
システムおよびそのゲージ（２）に属する個別ゲージ群（３）が、耳垂（１６）に付ける深さを測定し、耳垂（１６）にある可能性のある穴（３３）の位置を決定するために、開口（８）と舌状部（９）に一体的な目盛（２８）を有する請求項１に記載の耳用装身具システム。
【請求項３】
耳用装身具（１）のＵ字形くぼみ（５）の内側壁（６）が、１つまたはいくつかのかかりを備え、そのかかりが、耳垂に食い込むかまたはインサート（２５）を収容し支持するように意図されている請求項１または２に記載の耳用装身具システム。
【請求項４】
耳用装身具（１）のＵ字形くぼみ（５）の内側壁（６）がゴム状の箔（１５）で被覆されるか、あるいは異なる内側幅を有するゴム状インサート（２５）を、溝とばねまたは穴と丸い突起によってＵ字形くぼみ（５）に入れることができる請求項１または２に記載の耳用装身具システム。
【請求項５】
耳用装身具（１）のＵ字形くぼみ（５）にポケット形スリット（２０）が作成されており、このスリット（２０）は、側面のうちの１つの側面から開けられ、くぼみ（５）を横切って延在し、またグリップ・ヘッド（２４）を備えた安全針（２１）が、耳用装身具に属し、前記針が前記スリット（２０）に嵌り、球形先端（２６）を有する請求項１から４のいずれか１項に記載の耳用装身具システム。
【請求項６】
耳用装身具（１）のＵ字形くぼみ（５）内のゴム状箔（１５）または閉じたスリット（２７）に入れられたインサートが装備され、ポケット形スリット（２０）に沿って延在し、安全針（２１）が貫くように意図されており、前記針の球形先端（２６）がかかりとして働き、安全針が滑り落ちないように固定された請求項１から５のいずれか１項に記載の耳用装身具システム。
【請求項７】
耳用装身具（１）が、使用されていないときに安全針（２１）を収める穴（３６）を有する請求項１から６のいずれか１項に記載の耳用装身具システム。
【請求項８】
耳用装身具（１）が、貴金属、ステンレス鋼またはチタンから作成され、宝石が付けられている請求項１から７のいずれか１項に記載の耳用装身具システム。
【請求項９】
耳用装身具（１）が、プラスチック、木材またはガラスで作成された請求項１から６のいずれか１項に記載のグラス耳用装身具システム。
【請求項１０】
くぼみ（５）が、ナノハンプ（nano hump）を有するゴム層で被覆された請求項１から６に記載の耳用装身具システム。
【発明の詳細な説明】
【技術分野】
【０００１】
本発明は、特殊な取り付けシステムを特徴とするきわめて特殊なタイプの耳用装身具を備えた耳用装身具システムに関する。さらに、本発明は、耳用装身具が耳垂に個別に適合するようになるゲージを含み、このゲージは、耳用装身具を快適に装着するための重要な必要条件である。このシステムは、流行の装身具ならびに純粋な装飾物に適している。
【背景技術】
【０００２】
耳用装身具の従来の留め具において、基本的に２つのタイプの留め具に区別できる。第１のタイプによれば、装飾物は、耳垂の突き通された１つの刺し穴に取り付けることができる。場合によっては例えば耳の縁や鼻翼などの身体の他の部分に同じように穴が空けられそこに装飾物が固定される。その場合、装身具または単なる耳用装身具片には、装身具が落ちるのを防ぐ針があり、この針は、穴に差し込まれ、先端がほぼ安全クリップの形の留め金で固定される。この留め金機構は魅力がないことが多い。これは、簡単に使用できるように限定的なサイズのものでなければならず、したがって多くの場合後から見えるままであり、これは良い印象を与えない。
【０００３】
第２のタイプの留め具は、装身具自体に提供され、耳または鼻翼にクリップ式に挟まれる。イヤ・クリップ（ear clip）として知られるこの耳用装身具は、例えばクランプ機構からなり、両方のクランプ部分が、ばねによって互いに押し付けられる。耳用装身具を付ける場合、両方のクランプ部分をばね力に対して広げてイヤ・クリップを開き、耳用装身具を耳垂の上に押つけ、そして両方のクランプ部分がその間にある耳垂を把持する。耳用装身具は静止摩擦によって耳垂上に把持される。耳用装身具は、大きく重くなるほどクランプ部分の接触圧を強くしなければならず、それにより耳用装身具を耳に確実に取り付けられる。ばね力が小さすぎると、静止摩擦が小さくなりすぎ、急に頭を振った場合に装身具が耳から滑り落ちることになる。実際には、この取り付け方法は、耳用装身具を付けたり外したりするには役に立つが、特に装身具をずっと装着しているときにある程度痛みをもたらすという欠点を有する。クランプ機構はほとんど標準的な構造であり、この構造によって、すべての現行タイプの装身具をある程度確実に保持する一定の接触圧が生じる。装身具を装着した２、３分後には、クランプによって引き起こされた痛みが治まり、その結果過大な問題はなくなる。しかしながら、長時間装着すると必ず再び痛みが感じられるようになる。今日まで、ばね力で耳垂に取り付ける耳用装身具で長時間痛みなしに確実に装着できるものはない。取り付ける装身具が重く大きくなるほどこの問題は深刻になる。これまでイヤ・クリップの装着は、例外なく、多かれ少なかれ強い痛みの感覚を伴っていた。この理由のため、多くの人はそのようなタイプの耳用装身具を装着することをあきらめているが、審美的な根拠で魅力を感じこのタイプの耳用装身具を装着することを好む。
【発明の開示】
【課題を解決するための手段】
【０００４】
したがって、本発明の目的は、耳用装身具の付けたり外したりする際の操作を簡単にしたまま、長時間装着したときでも大きくかつ重い装身具のために痛みの感覚が生じず、さらに従来のばね式クランプ機構よりもよりコスト効果が高くかつ単純に作成することができ、また装飾物を付けた後でどちらの側からも見えない取り付けシステムを備えた耳用装身具システムを作成することである。１つの実施形態において、このシステムは、耳用装身具の不注意の取り外しまたは泥棒による故意の取り外しに対して高い安全性を提供するはずである。このシステムにより、耳用装身具は、装着者のそれぞれの耳垂によって個々に選択可能でなければならず、標準的なサイズは、様々なサイズの耳垂に選択可能であり、それぞれの耳垂に簡単に適合する。
【０００５】
この目的は、耳用装身具を耳垂に最適に取り付けるために個別ゲージから選択される連携ゲージを備えた耳用装身具システムによって達成され、この耳用装身具システムは、耳用装身具が、耳たぶに下から押し込まれ、取り付けるために引き伸ばされた耳垂に押し付けられ、それにより引き伸ばされた耳垂の厚さを正確に持つように画定された耳用装身具の内側幅またはインサートの内側幅を有するＵ字形くぼみを有することを特徴とし、適切な内側幅は、段階的な内側幅を有するそれぞれの開口とそれぞれの内側幅と同じ厚さを有する舌状部とを有する複数の個別のゲージからの１つの適切なゲージの支援によって決定することができ、したがって、そのような個別のゲージの支援による引き伸ばされた状態の取り付けられる耳垂の測定により、差し込まれる関連した耳用装身具またはインサートの適切な内側幅を、様々なＵ字形を有する一連の耳用装身具または一連のインサートから決定することができる。
【０００６】
このシステムの核心は、最初に引っ張ることによって引き伸ばされた状態で、耳垂の厚さを個々に測定し、次に引き伸ばされた状態で決定された耳垂の厚さに正確に一致するくぼみを有する耳用装身具が、耳用装身具が付けられ引っ張り力が解除されて耳垂の膨らみが再び戻った後に耳垂への接着力だけで保持されることにある。個々の測定は、標準化された目盛で行われることが好ましく、それにより、既知の測定単位による引き伸ばされた状態の耳垂を、Ｕ字形くぼみの適切な幅の耳用装身具またはそのインサートと簡単に適合させることができ、引き伸ばしが除去された後で装身具が確実に保持される。耳垂に装身具を保持するこのシステムは、外側から見えず、したがって、保持システムは、装身具の内側に全体的に組み込まれる。このシステムを単に実際の耳用装身具を取り付ける支持体として実施できることは言うまでもない。
【０００７】
この耳用装身具システムの実施形態の例は、図面に、例えばいくつかの耳用装身具片を備えたシステムで示され、また較正された個別ゲージを含むシステムと関連したゲージが後で説明され、システムの機能のすべての詳細が説明される。
【発明を実施するための最良の形態】
【０００８】
図１は、主要な部品、すなわち１片の耳用装身具１と、その下の複数の個別ゲージ群３からなる連携ゲージ２とを備えた耳用装身具システムを示す。この耳用装身具１は、適切な材料で作成された平らな装飾物に作成されており、この材料は、貴金属、ステンレス鋼、アルミニウム、プラスチックあるいは石、木材またはガラスでもよい。示した図では、耳用装身具は、厚さ約２〜３ｍｍ、長さ約２５ｍｍ、および幅１５ｍｍの楕円形円盤である。この楕円形円盤から、その尖った側から長軸４に沿って、Ｕ字型のくぼみ５が切り取られている。くぼみ５は、細かい歯の付いた（のこぎり歯状）面を有し、全体に列になった長めのかかりが形成される。また、かかりは、対応するように作成されたインサート２５（図６）を受けるガイドとして機能し、インサート２５はかかりによって保持され、中空の耳用装身具片１の場合は、かかりが部分的に空けられ、それにより、再び膨らんだ耳垂がより広い余地を求め、耳垂自体を装飾物の内側により確実に取り付けることができる。代替として、くぼみは、滑らかな内側壁６またはマッチ箱のこすり面と類似のエッチングされた粗い内側壁６を備えてもよい。耳用装身具１のこの部分は、中実材料から作成されてもよく中空体でもよい。後者は、製造する技術によって、耳用装身具片１が、最初にくぼみ５に向いた側の内側が開いたままになり、その後でそのような開いた側を、薄い材料ストリップを使って、あるいははんだ付け、溶接、戻り止め固定、押し込み、または適切なバンド形ストリップの固着によって閉じることで行うことができる。この特殊な耳用装身具システムによれば、特に、くぼみ５の内側幅７が、耳垂の厚さ、より詳しく言うと、耳垂がその長さに沿って手で引き下げられたときの引き伸ばされた状態の耳垂の厚さと正確に適合しなければならない。したがって、耳用装身具は完全に一連で作成され、一連の個々の部分１は、それらの内側幅７の測定値によって区別される。したがって、耳用装身具片１は、特定の装飾物型の指輪が異なるサイズまたは直径で作成されるのと同じように、完全な一連の段階的な幅７で作成される。耳用装身具のＵ字形くぼみ５は、長さが約１０ｍｍ〜１５ｍｍであり、その内側幅７は、２ｍｍ〜８ｍｍの寸法である。耳用装身具の装着者のほとんどは、４ｍｍ〜６ｍｍの幅７を必要とするであろう。最も狭い幅７は、子どものときの若い少女によって使用され、最も大きい幅は、肥った人によって使用される。次に、一連の耳用装身具タイプは、幅２ｍｍ、２．５ｍｍ、３ｍｍ、３．５ｍｍ、....７．５ｍｍ、８ｍｍを有する段階的な内側幅７で作成することができる。当然ながら、さらに細かい段階を選択することができる。図１の耳用装身具１の下に、適切なゲージ２が示されている。これは、それぞれのケースで開口８と舌状部９を有し、ここにスタックで示したいくつかのばらばらの個別ゲージ群３からなる。これらの個別ゲージは穴１０を有することができ、それにより、ゲージは、なくなることがなく、すべての個別ゲージの穴１０を通るワイヤ・リング１１によってまとめて保持することができ、それにより、ゲージは、その段階的な幅１２またはサイズに従って順番に配列される。それぞれの個別ゲージ群３で、��口８の内側幅１２は、舌状部９の幅１３と正確に一致する。個別ゲージは上側と下側に、目盛２８、すなわち例えば１ｍｍ離間された細い線２９を備える。さらに、すべての個別ゲージ群３には、その開口８にスリット３０が、その舌状部９に舌状部の先端の近くまで延在する、スリット３１が存在する。目盛２８とスリット３０、３１の機能を、システムの機能の説明と関連して説明する。いくつかの正確なゲージを板紙から打ち抜くかまたはプラスチック部品に射出成形することができ、個別ゲージが互いに隣り合っている。そのように作製されたゲージは、きわめて手頃な価格になるので、発送ビジネスでの配送と個人の家庭での装身具の不定期な使用に向いている。類似の平坦なゲージは、指輪のリング・サイズを決定するのに既に使用されている。
【０００９】
耳用装身具システムをより良く理解するために、図２は、あるタイプの耳用装身具の完全な１組すべての構成要素を示す。この場合、これは、様々な内側幅を有するＵ字形くぼみ５を有する同じタイプの完全な一連の耳用装身具数片１と、そのような様々な幅に適する個別ゲージ群３とを含む。個別ゲージ群３は、耳垂に付けたときに後で説明するように実質的に熱伝達が生じないという意図により、軽くなりまた小さい熱容量および熱伝導性を有するプラスチックまたは木から作成されることが好ましい。測定する耳垂に付けるとき、試用者にとっては、耳垂からすぐに多くの熱を取り去る鋼でてきたゲージよりもかなり快適である。そのような開口８の開いた側のゲージ３の端１４は、丸みが付けられ、その結果、ゲージ３は、装着する際に間に耳垂に刺ったり引っ掻いたりしない。下の３つの個別ゲージ群３に示したように、開口８が限定的な内側形状を有することができ、その理由は、すべての耳垂がその長さにわたって均一な厚さを有するわけではなく、その下部の方が多少厚くなったり薄くなったりするという事実を考慮するためである。この場合も、図１に示したように、これらのくぼみの内側は細かいかかり（この図には示していない）を備えることができ、そのような内側は、他の状況では粗い面を備えてもよい。１組の個別ゲージ群３をすべての耳垂形状に利用可能にすることができる。同じように、耳用装身具１のくぼみ５の内側形状は、下の３つの耳用装身具片１の斜線部分で示したように、違うように作成することができる。
【００１０】
図３に、耳用装身具システムによるＵ字形くぼみ５を備えた耳用装身具片の拡大図を示す。Ｕ字形くぼみ５の内側壁６は、材料品質に依存しないままでもよく、あるいは例えばNeopreneからなる箔材料などのゴム箔またはゴム状箔材料１５でもよく、この場合も粗面またはかかりを備えた面が有効である。使用される材料は、１００％ポリアミドで作成された裏張り織物から成り、伸縮自在の生ゴムで被覆されている。この場合、Ｕ字形くぼみ５の内側壁６は、ラミネーションにより、この材料または類似の材料で作成された箔１５が取り付けられている。そのような箔材料は、皮膚に対して高い摩擦抵抗を有し、耳垂に付けられた装身具の確実な把持を保証する。図３に破線で示したように、箔１５自体は、一方の側または両方の側でくぼみ５よりもはるかに高くまた例えば扇形の装飾３２を作成するように、装身具の一部分であるように形成されてもよい。別の変形例において、くぼみは、いわゆるナノハンプ（nano hump  微小突起）を備えた特殊な面を有するゴム箔で被覆されてもよい。そのようなものは、周知のように、トカゲなどの動物が磨いたガラス壁または天井の上を動くことを可能にする、ヤモリの足（feet of Gecko）を作り出す粘着効果であり、ヤモリの足は壁の分子構造と直接係合する。そのような動物の足は、足の裏に数百万本の微小な毛を有し、そのそれぞれの毛が、数千個の小さい突起で先端に扇状に広がっている。毛のブラシ状構造によって、ヤモリの足は、通常は個々の原子間および分子間に存在する引力、すなわち原子間または分子間の静電相互作用による力であるいわゆるファンデルワールス力が作用する下地ときわめて近くに接触する。カリフォルニア大学バークレー校では、ナノハンプを有する類似の面を有するゴム片を作成することに成功した。（米国科学アカデミー会報の２００２年８月２７日付けオンライン刊行物。www.pnas.org/cgi/content/abstract/192252799v1）
【００１１】
図４に、個別ゲージ群３を利用して耳垂１６の厚さを測定する方法を示す。この図で右耳１７で示しているように、左手１８の人差し指と親指で耳垂１６をつまみ、耳垂を矢印で示したように下に引っ張り、それにより耳垂が伸びて薄くなる。次に、右手１９で、個別ゲージ群３を、その開口８またはそのＵ字形くぼみまたはその端部１４がそのように引き伸ばされた耳垂に被る状態で押す。引き伸ばした耳垂１６の上に開口８を簡単に付けることができる１つの個別ゲージ群３だけを選択する。左手１８が耳垂１６を放すと、耳垂１６は再び縮み、その厚さが少し大きくなる。この後、個別ゲージ群３は、耳垂１６の上の的確な位置に確実に保持される。個別ゲージ群３を少し下方に引っ張ることにより、取り付けの確実さを試すことができる。すべての耳垂の長さが等しいわけではないので、個別ゲージ群３の開口８を耳垂１６の上に付けることができる深さは、目盛２８だけが決定することができる。さらに、スリット３０に針を通すことができ、それにより、必要に応じて、耳垂に既にある孔３３に針を通すことができる。その後、針の位置を目盛から読み取ることができ、その結果、安全針を位置決めしなければならない場合に、後で針を耳用装身具上で正確に規定することができる。これらの測定段階を実行したら、耳垂を再び片方の手で下に引っぱり、それにより耳垂が伸び、次に別の手で個別ゲージ群３を耳垂から容易に取り外すことができる。
【００１２】
図５に、耳垂の測定した厚さに適合する耳用装身具片を決定するための個別ゲージ群３の使用方法を示す。システムに従って、その舌状部９を使用して、耳用装身具片の正確なサイズすなわちそのような耳用装身具片のくぼみ５の正確な内側幅７を求めたり、あるいは形状により、耳用装身具のくぼみ５に入れることができる正しい幅を有するインサートを決定したりすることができる。耳用装身具片１上のＵ字形くぼみ５が、ゴムまたはゴム状に箔で内張りされているか、またはその内面がエッチングによって粗くされ、それによりマッチ箱のこすり面と同じような粗さを有すると有利である。このように被覆または処理された様々な耳用装身具片１のくぼみ５は、次に適切な個別ゲージ群３の舌状部９の上で押され、それによりくぼみ５を舌状部９の上で簡単に押すことができなけばならない。これができたとき、適合する耳用装身具片が見つかったことになる。その後で、その耳用装身具片が耳垂に付けられ、片方の手で耳垂が再び下に引っ張られ、それにより耳垂が伸び、くぼみ５を有する耳用装身具片１が耳垂の上で押される。装身具片１は、伸びた状態の耳垂に押し付けられ、その後耳垂が緩められ、その結果、引っ張り力が開放され、耳垂が少しの膨らんだ緩んだ状態に戻る。このように付けられた耳用装身具片の確実できわめて快適な嵌合取り付けが保証される。図１に示したように、くぼみの内側面が、プラスチック・インサートではなくかかりを備えているとき、膨らんだ耳垂がそのかかりに食い込むので、装身具片はさらに確実に保持される。
【００１３】
図６に、適切なインサート２５を備えた耳用装身具片１を示し、インサートは、耳垂の測定した厚さと合致する同じ幅を有する部分を有する。この図で、インサートには、のり継ぎ接合断面を有するばね３４があり、インサートは、装身具片１のくぼみ５内の同じ溝３５に嵌り、それにより押し込まれたインサートがくぼみ５内に確実に保持される。溝３５とばね３４の代わりに、互いに係合する穴と丸い突起（knop）を使用することもでき、あるいは、インサート２５とインサートを押し込んだときに互いに係合するくぼみ５上の横向きのかかりとを使用することもできる。この場合、耳用装身具１は、約幅１ｍｍの水平スリット２０を備え、このスリット２０は、安全針を入れるために使用され、安全針は一般に０．８ｍｍの厚さを有する。また、連携インサート２５は、水平スリット２６を備えるが、このスリット２６は、インサートのゴム状の材料のために閉じられ、安全針が通されたときだけ開かれ、これについては後で説明する。インサート２５のくぼみの内側は、耳垂での保持力を高めるために、既に図１に示したものと同じかかりを備えることができる。
【００１４】
図７に、そのように耳垂に押し込まれた耳用装身具片を示す。重要なものは、装身具片のくぼみ、ならびにこのくぼみの幅またはくぼみに押し込まれたインサートの幅である。この幅は、耳垂の厚さと個々に完全に合致するように作成され、基本的に、引っ張ることにより伸ばされた耳垂で測定され決定される。図に示したように、耳用装身具の下部は、好みに従って形状を決め形成することができる。ここに示した例では、耳用装身具は、全体がベルの形に作成され、４つの宝石が付けられている。耳用装身具は、図８に示したようなクレオール（creole）風に作成することもでき、実際の宝石を取り付けるためのホルダまたは支持体として作成することもできる。
【００１５】
図９に、純粋な装身具の例を示す。この耳用装身具は、例えばチタンから作成することができ、この場合は特に軽い。一方、金またはプラチナからあるいは銀から作成することもでき、後で金めっきしてダイヤモンド３７を取り付けることもできる。その場合、耳用装身具は特に貴重である。そのような耳用装身具の場合、粘着効果だけで耳垂に保持するのではなく、引っ張って取られたり滑り落ちたりしないように固定することが賢明である。このため、耳用装身具は、図６に耳用装身具に関して示したように、その一方の側から始まるポケット形スリット２０を備え、スリットは、破線で示したように、くぼみ５全体に延在しそこにポケットを構成する。くぼみ５の内側壁は、ゴム状の泡状箔１５が被覆される。この耳用装身具は、装着者の耳垂に穴が開けられているときに耳垂に固定することができ、これは、実際には多くの女性が穴を開けており、あるいは必要に応じて穴を開けることができる。しかし、穴を開けた耳垂に装着された従来の装身具と比較すると、この耳用装身具のホルダは、全く違うように機能する。従来の装身具では、装飾物の重量は、本質的に、耳垂の穴に差し込まれた針から吊り下げられている。何年もの間比較的重い耳用装身具を装着したときは、耳垂の穴が大きくなり、耳垂が不格好になることがある。しかしながら、ここに示し提案した解決策において、針２１は、耳垂に長時間保持するためではなく装飾物としてだけ働いている。前に詳細に示したように、耳用装身具は、引っ張ることによって伸ばされた耳垂に適合するように作成され、耳垂に付ける場合は、Ｕ字形くぼみが片手で伸ばした耳垂の上にある状態で、またスリット２０を有する側が頭部に対して回転された状態でも、下から押すだけである。引っ張る力が解除された後で耳垂が緩められたとき、耳垂はその形を回復して多少膨らみ、それにより耳用装身具が十分に保持される。原理的には、耳用装身具をこのように装着することができる。安全のため、さらに、グリップ・ヘッド２４を備えた針２１が、スリット２０の開いた側から差し込まれ、グリップ・ヘッド２４自体は装飾物として作成されてもよく、針２１は箔１５を通過し、くぼみ５を突き抜け、したがって耳垂の穴を通り、その後でくぼみ５の他方の側の箔１５を通り、次にスリット２０を通る。針２１は、耳垂の穴の位置によって、スリット２０の交差領域２２のどこに配置されてもよい。同様に、針２１の正確な位置が、個別ゲージの支援によって決定される。そのために、個別ゲージ群３は、類似のスリット３０、３１と、細線２９を備えた側面目盛２８とを有する。個別ゲージ群３が押し込まれたとき、安全針２１は耳垂に既にある穴に通され、その位置を目盛２８から読み取ることができる。次に、個別ゲージ群３を装身具片１のくぼみ５に入れ、次に測定した位置で装身具片に穴を開けてもよく、あるいは、空いたスリット２０が自由に使える場合は、正確な挿入位置をマークし、その後で針２１をスリット２０と箔１５のその位置に差し込んでもよい。装身具システムに適切な針２１は、球形の先端２７を有することが好ましい。この球形の先端２７は、箔１５に通されたときに箔１５を拡げ、その後で、球形の先端がかかりのように働くので、針２１から滑り落ちるのを防ぐ。これと同じことは、装身具片のくぼみ５に測定した幅のインサート２５を取り付けるときにも起こり、図６に示したように、インサートはその部分に安全針２１を入れるためのスリット２６を有する。また、スリット２０を有するこのシステムの利点は、針２１をスリット２０内で段階なしに特定の大きさだけ移動させることができ、すなわち、装身具片の針２１の位置を装着者の耳垂の穴と正確に一致させることができる点にある。あらゆる位置で、針は、箔１５またはインサート２５に突き通され、その結果装身具片が固定される。しかしながら、針２１によってそのように固定された装身具１は、装着されている間くぼみ５だけに取り付けられている。針２１に力は作用しない。装身具１が、装着されている間に、耳垂に単に装身具自体の重量以外の大きい力を受け引っ張られたとき、針が機能する。次に、針が最初にスリット２０の前端２３に動いた後、装身具片１は針に吊されたままである。さらに、この針２１は、耳垂上の耳用装身具の高さ調整を可能にする。針は、泡状箔１５またはインサート２５のスリット２０を介してスリット２６内の任意の所望の場所に入れることができる。これに対応して、くぼみ５を有する耳用装身具を耳垂の一部分の上に押し、次に針が耳垂の穴があるその場所で泡状箔１５またはインサート２５に通される。耳用装身具がそのように付けられた場合、耳用装身具は、付着強さの結果としてくぼみ５だけで部分的に保持され、保持力の一部分は針２１によって肩代わりされ、それは、保持力は、耳垂上にある箔１５またはインサート２５によって２倍にされる。そのような箔１５またはインサート２５は、さらに、装飾物のように形成されてもよく、くぼみよりも横に突出し装飾に見える適切な形をとる。装身具片自体が、安全針２１を使用していないときに保持しそこから供給することができる追加の穴３６を有することができる。例えばスポーツ活動中の耳用装身具により大きい力が働くときに必要とされるときに、安全として針を付けることができるが、通常の状況では全く必要ない。
【００１６】
この耳用装身具およびそのシステムは、普通ならまた慣例的にはクランプ機構によって耳垂に取り付けられる装身具、具体的には流行装身具の特に快適で何よりも痛みのない装着を可能にする。また、このシステムは、針によって安全性を高めた状態で純粋な耳用装身具の装着を可能にするが、針は、通常の装着の間に引っ張られず、したがって耳垂の穴を圧迫したり引っ張ったりしない。また、耳用装身具は、このシステムにより機能しかつ実際の装身具が吊されるホルダまたは支持体を含むことができる。このシステムの適正な機能にきわめて重要なのことは、耳垂の厚さが、耳垂が下に引っ張られて伸ばされたときの状態で決定され、それに対応するくぼみの測定された幅を有する装身具が、その伸びた状態で耳垂に触れるようにされることである。次に、耳垂が緩められ、それにより膨らむことによってその形状を回復し、接着力の結果として耳用装身具がしっかりと保持される。
【００１７】
ゲージ２の個別ゲージ群３を標準化されたサイズで展開することができ、それにより内側幅と目盛の国際的に許容可能な規格が作成される。この規格は、引き伸ばされた状態の耳垂の厚さが既知の場合、すなわち、ゲージと耳用装身具の内側幅が既知の場合ならびに目盛上の示度の支援により安全針の位置が既知の場合に、耳用装身具を試用なしに購入することができ全く簡単に適合する。
【図面の簡単な説明】
【００１８】
【図１】単一片の耳用装身具と個別ゲージ群からなる連携ゲージとを備えた耳用装身具システムの図である。
【図２】様々な内側幅のＵ字形くぼみを備えた類似のタイプの一連の耳用装身具片と、その隣りのそれぞれの適切な個別ゲージの図である。
【図３】Ｕ字形くぼみの１つを有する、このシステムによる耳用装身具片の拡大図である。
【図４】耳用装身具が取り付けられる耳垂の厚さの測定の図であり、耳垂が引っ張ることにより引き伸ばされた状態である。
【図５】耳垂の測定された厚さと適合する耳用装身具片の決定を示す図である。
【図６】引き伸ばされた状態の耳垂の測定された厚さと適合する適切なインサートを備えた耳用装身具片の図である。
【図７】耳垂に押し付けられ、宝石が付けられた耳用装身具片の図である。
【図８】耳垂に押し付けられた、クレオール形の耳用装身具片の図である。
【図９】この耳用装身具システムによる耳用装身具片の、Ｕ字形くぼみと耳用装身具の滑り落ちを防ぐための追加の装置の拡大図である。
【図１】
2006506135.tif 000003
【図２】
2006506135.tif 000004
【図３】
2006506135.tif 000005
【図４】
2006506135.tif 000006
2006506135.tif 000007
【図７】
2006506135.tif 000008
【図８】
2006506135.tif 000009
【図９】
2006506135.tif 000010
【国際調査報告】
2006506135.tif 000011
2006506135.tif 000012
2006506135.tif 000013
2006506135.tif 000014